(57)【特許請求の範囲】
【請求項１】
（ａ）ソルビタン脂肪酸エステル、グリセリン脂肪酸エステル及び石油系溶剤を含有し、体積抵抗率が１×１０８Ω・ｃｍ以下である非水系洗浄剤組成物。
【請求項２】
更に（ｂ）スルホコハク酸又はその塩、リン酸エステル又はその塩及びポリオキシリン酸エステル又はその塩から選ばれる１種以上を含有する請求項１記載の非水系洗浄剤組成物。
【請求項３】
更に（ｃ）第４級アンモニウム塩を含有する請求項１又は２記載の非水系洗浄剤組成物。
【発明の詳細な説明】
【０００１】
【発明の属する技術分野】
本発明は、石油系溶剤を洗浄媒体として用いるドライクリーング用洗浄剤として適した非水系洗浄剤組成物に関する。
【０００２】
【従来の技術及び発明が解決しようとする課題】
ドライクリーニングでは、パラフィン系、ナフテン系、芳香族系炭化水素等の混合物からなる石油系溶剤と共に、水溶性汚れや固体汚れの除去、再汚染防止、帯電防止、柔軟性付与のため、種々の界面活性剤が併用されている。そして、ドライクリーニングに使用する洗浄剤は、一般に５〜８０重量％の界面活性剤、石油系溶剤、粘度低下剤及び腐食防止剤等が配合された液状洗浄剤であり、ドライクリーニングに際してはこの液状洗浄剤を石油系溶剤に対して０．１〜５容量％の割合で添加して使用している。
【０００３】
このようにドライクリーニングでは導電性の低い石油系溶剤を使用するため、衣類や溶剤の摩擦によって生じる静電気が原因となって引火爆発する危険性がある。石油系溶剤の洗浄機内での爆発事故は、石油系溶剤の抵抗（体積抵抗率）が１０10Ω・ｃｍ（１０ＧΩ・ｃｍ）以上で、かつ衣類が乾燥された状態で摩擦を受けたときに静電気が発生し、その発生量が着火エネルギー以上であり、更に石油系溶剤の洗浄機内の濃度が爆発限界範囲内の場合に発生する可能性があるとされている。
【０００４】
よって、爆発事故を防ぐため、石油系溶剤の体積抵抗率を測定してドライクリーニング用洗浄剤の添加量を調整し、適正な体積抵抗率を維持管理できる機能を有するドライクリーニング機が普及しているが、従来のドライクリーニング用洗浄剤（例えば、特開平１−１３９８６３号公報）では、石油系溶剤の体積抵抗率の低下能とその経時安定性が十分に考慮されているとは言えず、ドライクリーニング機に装備された濃度管理センサーへの感度も悪い。
【０００５】
本発明は、体積抵抗率が低く、かつその経時安定性が高い、ドライクリーニング用洗浄剤として好適な非水系洗浄剤組成物を提供することを課題とする。
【０００６】
【課題を解決するための手段】
本願出願人は、先に体積抵抗率が低く、かつその経時安定性も高いドライクリーニング用洗浄剤組成物に係わる発明を出願しているが（特開平８−７３８８７号公報）、本発明は、前記先願発明を更に改良し、体積抵抗率をより低くし、その経時安定性をより高めたものである。
【０００７】
本発明は、課題の解決手段として、（ａ）ソルビタン脂肪酸エステル及び石油系溶剤を含有し、体積抵抗率が１×１０8Ω・ｃｍ以下である非水系洗浄剤組成物を提供する。
【０００８】
【発明の実施の形態】
本発明で用いる（ａ）成分のソルビタン脂肪酸エステルは、グリフィン（Griffin）の式〔このグリフィンの式は、ＨＬＢ＝（親水基部分の分子量／界面活性剤の分子量）×（１００／５）で表されるものである。（「新・界面活性剤入門」三洋化成工業株式会社，昭和６０年１１月１日発行，第１２８頁）〕によるＨＬＢ（以下ＨＬＢと略す。）が１〜１２のものが好ましく、７〜１０のものがより好ましい。該ソルビタン脂肪酸エステルは、モノエステル、ジエステル、トリエステル、テトラエステルの任意の割合の混合物であってもよい。このようなソルビタン脂肪酸エステルは、ソルビタンモノラウレート（ＨＬＢ＝８．６）、ソルビタンモノオレエート（ＨＬＢ＝４．３）、ソルビタントリオレエート（ＨＬＢ＝１．８）等を挙げることができ、ソルビタンモノラウレート（ＨＬＢ＝８．６）が好ましい。
【０００９】
組成物中の（ａ）成分の含有量は、好ましくは１〜８０重量％、より好ましくは５〜５０重量％、更に好ましくは１０〜４０重量％である。
【００１０】
本発明は、（ａ）成分と共に、他の（ｂ）及び（ｃ）から選ばれる洗浄成分等、更には他の添加成分等を組み合わせて用いることができる。
【００１１】
本発明で用いる（ｂ）成分は、スルホコハク酸又はその塩、リン酸エステル又はその塩及びポリオキシリン酸エステル又はその塩から選ばれる１種以上である。
【００１２】
本発明で用いるスルホコハク酸又はその塩（以下（ｂ１）とする）は、洗浄力向上の点で下記の一般式（１）で示されるものが好ましい。
【００１３】
【化１】
0003745641.tif 000002
【００１４】
（式中、Ｒ1、Ｒ2は炭素数６〜１８のアルキル基又はアルケニル基、Ｘはアルカリ金属又はアルカリ土類金属を表す。）
一般式（１）中のＲ1、Ｒ2は、炭素数６〜１２のアルキル基又はアルケニル基が好ましく、Ｘはナトリウムが好ましい。
【００１５】
（ｂ１）成分は、ジアルキルスルホコハク酸塩が好ましく、例えば、ジオクチルスルホコハク酸ナトリウム、ジ−２−エチルヘキシルスルホコハク酸ナトリウム、ジデシルスルホコハク酸ナトリウム、ジドデシルスルホコハク酸ナトリウムを挙げることができる。
【００１６】
本発明で用いるリン酸エステル又はその塩及びポリオキシリン酸エステル又はその塩（以下（ｂ２）とする）は、体積抵抗値を下げる観点から下記一般式（２）で示されるものが好ましい。
【００１７】
【化２】
0003745641.tif 000003
【００１８】
〔式中、Ｒ3は炭素数８〜２０のアルキル基又はアルケニル基、Ｒ4は−ＯＭ又はＲ3Ｏ−（ＣＨ2ＣＨ2Ｏ）n−、ｎは平均１〜６の数、Ｍは水素原子、アルカリ金属又はアルカノールアミンを表す。〕
一般式（２）中、Ｒ3は炭素数１０〜１６の直鎖又は分岐鎖のアルキル基が好ましく、直鎖アルキル基がより好ましく、ｎは平均２〜４の数が好ましい。
【００１９】
（ｂ２）成分が塩となるときは、対イオンがトリエタノールアミンであるものが好ましく、（ｂ２）成分は塩の形態で配合してもよいし、エステルの形態で配合した後、アルカリ又はアルカノールアミンで中和してもよい。
【００２０】
（ｂ２）成分は、モノエステルやジエステル又はそれらの塩のそれぞれ単独のものよりも、モノエステルとジエステル又はそれらの塩の１：１の混合物であるセスキエステル又はその塩の方が、石油系溶剤の体積抵抗率の低下能とその経時安定性が高いので好ましい。
【００２１】
組成物中の（ｂ）成分の含有量は、好ましくは１〜５０重量％、より好ましくは３〜３０重量％、更に好ましくは５〜２０重量％である。
【００２２】
本発明で用いる（ｃ）成分の第４級アンモニウム塩は、風合い向上の観点から下記の一般式（３）で示されるものが好ましい。
【００２３】
【化３】
0003745641.tif 000004
【００２４】
（式中、Ｒ5は炭素数８〜２２のアルキル基、Ｒ6は炭素数１〜２２のアルキル基又はヒドロキシアルキル基、Ｒ7、Ｒ8は炭素数１〜３のアルキル基又はヒドロキシアルキル基、Ｙはエチレン基又はプロピレン基、ｎは０又は１、Ｚ-はアニオン基を表す。）
一般式（３）中のＺ-は、硝酸、硫酸、リン酸、パラトルエンスルホン酸、メチル硫酸、エチル硫酸、グリコール酸等に由来するアニオン基が好ましい。
【００２５】
好ましい（ｃ）成分は、ステアリルジメチルエチルアンモニウム・モノエチル硫酸塩、ステアリルジメチルヒドロキシエチルアンモニウム・グリコール酸塩、ステアリルジメチルヒドロキシエチルアンモニウム・パラトルエンスルホン酸塩、ステアリルアミノエチルジメチルヒドロキシエチルアンモニウム・パラトルエンスルホン酸塩等を挙げることができる。
【００２６】
組成物中の（ｃ）成分の含有量は、好ましくは１〜５０重量％、より好ましくは３〜３０重量％、更に好ましくは５〜２０重量％である。
【００２７】
本発明で用いる石油系溶剤は特に限定されるものではなく、パラフィン系炭化水素（沸点１２０〜２２０℃）、ナフテン系炭化水素又は芳香族系炭化水素を含有し、通常ドライクリーニング用溶剤として用いられるものを挙げることができる。
【００２８】
組成物中の石油系溶剤の含有量は、上記した（ａ）成分又は（ａ）〜（ｃ）成分から選ばれる組合せの残部となるバランス量（全体を１００重量％とする量）であるが、１０〜７０重量％が好ましい。
【００２９】
本発明の組成物には、石油系溶剤中での電気的特性を悪化させることなく、洗浄力、再汚染防止能をより高めるため、ポリオキシエチレンアルキルエーテル、ポリオキシエチレンアルキルフェノールエーテル、高級脂肪酸アルカノールアミド又はそのエチレンオキシド付加物、グリセリン脂肪酸エステルから選ばれるノニオン界面活性剤を１〜４０重量％配合することができる。
【００３０】
また、本発明の組成物には、原料由来の成分又は添加成分として、メタノール、エタノール、イソプロパノール、ブタノール等の低級アルコールを約０．１〜３重量％、プロピレングリコールのような多価アルコールを約０．１〜５重量％、メチルセロソルブのような多価アルコールエーテルを約０．１〜５重量％を含有していてもよく、更にベンゾトリアゾールのような防錆剤を約０．０１〜１重量％、抗菌剤、水を約０．１〜１５重量％を含有していてもよい。
【００３１】
本発明の組成物は、防錆性を考慮して、ｐＨを６〜８の範囲に調整することが好ましく、ｐＨの調整はアルカノールアミンで行うことが、溶解性、保存安定性の点で好ましい。
【００３２】
以上の成分を含む本発明の非水系洗浄剤組成物は、石油系溶剤に対して１容量％となるように添加したときの体積抵抗率が１×１０8Ω・ｃｍ以下のものである。
【００３３】
本発明の非水系洗浄剤組成物は、ドライクリーニングに際して、石油系溶剤に対して０．１〜５重量％の範囲で添加して使用することができる。
【００３４】
【実施例】
実施例１〜５、参考例１〜１０、比較例１〜１０
表１、表２に示す組成の非水系洗浄剤組成物を調製し、下記の方法により、体積抵抗率と体積抵抗率の経時変化を求めた。石油系溶剤は、日本石油社製のナフテゾールＬ（イソパラフィン５〜１０重量％、ノルマルパラフィン５重量％以下、ナフテン８０重量％以上、芳香族炭化水素１重量％以下）を用いた。結果を表１、表２に示す。
【００３５】
（１）体積抵抗率（ＧΩ・ｃｍ）
石油系溶剤として「エクソールＤ４０」（エクソン社製、ｎ−パラフィンとナフテンが同量で、芳香族炭化水素の含有量が１重量％以下のもの）を３Ｌ用い、これに実施例及び比較例の洗浄剤組成物を１ｖ／ｖ％となるように添加し、１分後の石油系溶剤の体積抵抗率を図１に示す装置で測定した。図１中、１は絶縁抵抗計、２は測定器、３は測定電極、Ｐは循環ポンプであり、詳細は下記のとおりである。なお、循環ポンプは作動させ、石油系溶剤を１０Ｌ／分で循環させた状態で測定した。
【００３６】
絶縁抵抗計：東亜電波ＳＭＥ−８２０３（測定電位５Ｖ）
測定電極：東亜電波ＳＭＥ−８３３５（電極定数７０ｃｍ）
（２）体積抵抗率の経時変化
図１に示す装置を用い、「（１）体積抵抗率」と同様にして、洗浄剤組成物添加１分後と４５分後の体積抵抗率を測定し、下記式から体積抵抗率の経時変化を求めた。但し、循環ポンプは作動させ、石油系溶剤を１０Ｌ／分で循環させた。なお、体積抵抗率の変化が小さいほど、ドライクリーニング機に装備されているドライクリーニング用洗浄剤の濃度管理センサーへの対応性が良く、濃度管理が容易になり、引火爆発の危険性も低くなることを意味する。
【００３７】
体積抵抗率の経時変化
＝組成物添加４５分後の測定値−組成物添加１分後の測定値
【００３８】
【表１】
0003745641.tif 000005
【００３９】
【表２】
0003745641.tif 000006
【００４０】
【発明の効果】
本発明の非水系洗浄剤組成物は、体積抵抗率が低く、通常のドライクリーニング時間に相当する時間内での体積抵抗率の経時変化も殆どないので、ドライクリーニング用洗浄剤として適用した場合の濃度管理が容易となり、引火爆発の可能性を大幅に低下させることができる。
【図面の簡単な説明】
【図１】  実施例で体積抵抗率の測定に用いた装置の略図。
【符号の説明】
１  絶縁抵抗計
２  測定器
３  測定電極
Ｐ  溶剤循環ポンプ
【図１】
0003745641.tif 000007